(57)【要約】通信ネットワーク上で通信する端末に広告コンテンツを提供するための装置が提供される。装置は、端末およびそのユーザに関する情報を受信するために、ネットワークまたは他のネットワーク上に存在するネットワーク要素と通信する処理要素を含む。端末のうちの少なくとも１つは、移動端末であってもよい。処理要素は、この情報に基づいて、命令を広告プラットフォームに通信し、次に、広告プラットフォームは、命令に従って、それぞれの端末に対する広告コンテンツを選択および伝送する。このようなコンテンツは、テキストメッセージ、音声メッセージ、写真メッセージ、ビデオクリップ等を含んでもよい。場合により、処理要素は、受信した情報に基づいて、２つ以上の端末およびそのユーザの共通の特徴を判断してもよく、その共通特徴に基づく広告コンテンツが、端末に送信されてもよい。方法、システム、およびコンピュータプログラム製品も提供される。【選択図】図１
2010516070.tif 000002
【特許請求の範囲】
【請求項１】
通信ネットワーク上で通信する複数の端末に関連付けられる情報を受信すること、ただし前記端末の少なくとも１つは移動端末を含む、前記受信すること；
前記複数の端末に関連付けられる前記情報に少なくとも部分的に基づいて、命令を広告プラットフォームに通信すること、ただし前記命令は、前記端末のうちの少なくとも１つに対する、前記広告プラットフォームによる広告コンテンツの選択および伝送を指示する、前記通信すること；
ように構成される処理要素を備える、装置。
【請求項２】
前記処理要素は、通信中の少なくとも２つの端末に関連付けられる情報を受信し、これらの端末に関連するユーザの共通の特徴を、受信した前記情報に少なくとも部分的に基づいて判断し、前記広告プラットフォームに通信される前記命令に前記共通の特徴を含めるように構成される、請求項１に記載の装置。
【請求項３】
前記処理要素は、複数のプロフィールを格納するように構成されるデータベースと通信するように構成され、また、前記情報の少なくとも一部を、前記プロフィールの少なくとも１つに少なくとも部分的に基づいて前記データベースから受信するように構成される、請求項１に記載の装置。
【請求項４】
前記処理要素は、アプリケーションサーバ、インターネットプロトコルマルチメディアサブシステム、マルチメディアメッセージングサービスセンタ、ショートメッセージングサービスセンタ、移動交換局、インテリジェントネットワークサーバから成るグループから選択される外部ソースであって、前記通信ネットワークに接続される少なくとも１つの外部ソースと通信するように構成される、請求項１に記載の装置。
【請求項５】
前記処理要素は、前記端末のうちの少なくとも１つによって伝送された通信のコンテンツに少なくとも部分的に基づいて、前記情報を受信するように構成される、請求項１に記載の装置。
【請求項６】
前記処理要素は、前記情報を受信し、それに対応する前記命令を前記広告プラットフォームにリアルタイムで通信するように構成される、請求項１に記載の装置。
【請求項７】
通信ネットワーク上で通信する複数の端末に関連付けられる情報を受信すること、ただし前記端末の少なくとも１つは移動端末を含む、前記受信することと；
前記複数の端末に関連付けられる前記情報に少なくとも部分的に基づいて、前記端末のうちの少なくとも１つに対する、広告コンテンツの広告プラットフォームによる選択および伝送を指示する命令を判断することと；
前記命令を前記広告プラットフォームに提供することと；
を含む、方法。
【請求項８】
前記命令を判断することは、通信中の少なくとも２つの端末に関連付けられる前記情報を比較することと、これらの端末に関連するユーザの共通の特徴を判断することとを含む、請求項７に記載の方法。
【請求項９】
情報を受信することは、プロフィール情報を格納するデータベースから、前記情報の少なくとも一部を受信することを含む、請求項７に記載の方法。
【請求項１０】
前記プロフィール情報は、ユーザの氏名、住所、年齢、職業、民族的背景から成るグループから選択される識別情報を含む、請求項９に記載の方法。
【請求項１１】
前記プロフィール情報は、ユーザの趣味、スポーツ、政治的所属、音楽の好み、文学の好み、宗教選好から成るグループから選択される関心に関する情報を含む、請求項９に記載の方法。
【請求項１２】
前記プロフィール情報は、家族状態、連絡先、連絡先電話番号、連絡先関係から成るグループから選択される個人情報を含む、請求項９に記載の方法。
【請求項１３】
前記情報を受信することは、アプリケーションサーバ、インターネットプロトコルマルチメディアサブシステム、マルチメディアメッセージングサービスセンタ、ショートメッセージングサービスセンタ、移動交換局、インテリジェントネットワークサーバから成るグループから選択される外部ソースであって、前記通信ネットワークに接続される少なくとも１つの外部ソースから、前記情報の少なくとも一部を受信することを含む、請求項７に記載の方法。
【請求項１４】
前記情報を受信することは、前記端末のうちの少なくとも１つによって伝送された通信のコンテンツに少なくとも部分的に基づいて、前記情報を受信することを含む、請求項７に記載の方法。
【請求項１５】
前記命令を広告プラットフォームに提供することは、前記命令を前記広告プラットフォームにリアルタイムで通信することを含む、請求項７に記載の方法。
【請求項１６】
コンピュータ可読プログラムコード部分が格納される少なくとも１つのコンピュータ可読記憶媒体を含むコンピュータプログラム製品であって、前記コンピュータ可読プログラムコード部分は、
通信ネットワーク上で通信する複数の端末に関連付けられる情報を受信する第１の実行可能部分、ただし前記端末の少なくとも１つは移動端末を含む、前記第１の実行可能部分と；
前記複数の端末に関連付けられる前記情報に少なくとも部分的に基づいて、前記端末のうちの少なくとも１つに対する、広告コンテンツの広告プラットフォームによる選択および伝送を指示する命令を判断する第２の実行可能部分と；
前記命令を前記広告プラットフォームに提供する第３の実行可能部分と；
を含む、コンピュータプログラム製品。
【請求項１７】
前記第２の実行可能部分は、通信中の少なくとも２つの端末に関連付けられる前記情報を比較し、これらの端末に関連するユーザの共通の特徴を判断するようにさらに構成される、請求項１６に記載のコンピュータプログラム製品。
【請求項１８】
前記第１の実行可能部分は、プロフィール情報を格納するデータベースから、前記情報の少なくとも一部を受信するようにさらに構成される、請求項１６に記載のコンピュータプログラム製品。
【請求項１９】
前記第１の実行可能部分は、アプリケーションサーバ、インターネットプロトコルマルチメディアサブシステム、マルチメディアメッセージングサービスセンタ、ショートメッセージングサービスセンタ、移動交換局、インテリジェントネットワークサーバから成るグループから選択される外部ソースであって、前記通信ネットワークに接続される少なくとも１つの外部ソースから、前記情報の少なくとも一部を受信するようにさらに構成される、請求項１６に記載のコンピュータプログラム製品。
【請求項２０】
前記第１の実行可能部分は、前記端末のうちの少なくとも１つによって伝送された通信のコンテンツに少なくとも部分的に基づいて、前記情報を受信するようにさらに構成される、請求項１６に記載のコンピュータプログラム製品。
【請求項２１】
前記第３の実行可能部分は、前記命令を前記広告プラットフォームにリアルタイムで通信するようにさらに構成される、請求項１６に記載のコンピュータプログラム製品。
【請求項２２】
通信ネットワーク上で通信する複数の端末に関連付けられる情報を受信する手段、ただし前記端末の少なくとも１つは移動端末を含む、前記受信する手段と；
前記複数の端末に関連付けられる前記情報に少なくとも部分的に基づいて、前記端末のうちの少なくとも１つに対する、広告コンテンツの広告プラットフォームによる選択および伝送を指示する命令を判断する手段と；
前記命令を前記広告プラットフォームに提供する手段と；
を備える、装置。
【請求項２３】
通信ネットワーク上で通信する複数の端末に関連付けられる情報を受信するように構成されるサーバ、ただし前記端末の少なくとも１つは移動端末を含む、前記サーバと；
命令を前記サーバから受信し、前記端末の少なくとも１つに広告コンテンツを伝送するように構成される広告プラットフォームと；
を備えるシステムであって、前記サーバが、前記複数の端末に関連付けられる前記情報に基づいて前記命令を提供し、前記広告プラットフォームは、前記命令に基づいて、受信した前記情報を少なくとも部分的に含む前記広告コンテンツをそれぞれの端末に伝送する、システム。
【請求項２４】
前記サーバは、通信中の少なくとも２つの端末に関連付けられる情報を受信し、受信した前記情報に少なくとも部分的に基づいて、これらの端末に関連するユーザの共通の特徴を判断し、前記広告プラットフォームに通信される前記命令に前記共通の特徴を含めるように構成される、請求項２３に記載のシステム。
【請求項２５】
複数のプロフィールを格納するように構成されるデータベースをさらに備え、前記サーバは、前記データベースと通信し、前記情報の少なくとも一部を、前記プロフィールの少なくとも１つに基づいて前記データベースから受信するように構成される、請求項２３に記載のシステム。
【請求項２６】
アプリケーションサーバ、インターネットプロトコルマルチメディアサブシステム、マルチメディアメッセージングサービスセンタ、ショートメッセージングサービスセンタ、移動交換局、インテリジェントネットワークサーバから成るグループから選択される外部ソースであって、前記サーバと通信する外部ソースをさらに備え、前記サーバは、該サーバが通信した前記外部ソースのうちの少なくとも１つからの少なくとも一部の情報を受信するように構成される、請求項２３に記載のシステム。
【請求項２７】
前記サーバは、前記端末のうちの少なくとも１つによって伝送された通信のコンテンツに少なくとも部分的に基づいて、前記情報を受信するように構成される、請求項２３に記載のシステム。
【請求項２８】
前記広告プラットフォームは、前記広告コンテンツが、前記端末の通信中に該端末のユーザに提供されるように、前記端末のうちの少なくとも１つに前記広告コンテンツを伝送するように構成される、請求項２３に記載のシステム。
【請求項２９】
前記広告プラットフォームは、前記広告コンテンツが、通信後に前記端末のユーザに提供されるように、前記端末のうちの少なくとも１つに前記広告コンテンツを伝送するように構成される、請求項２３に記載のシステム。
【請求項３０】
前記広告プラットフォームは、前記ユーザと前記端末との後のインタラクション時に、前記広告コンテンツが前記端末のユーザに提供されるように、前記それぞれの端末に前記広告コンテンツを伝送するように構成される、請求項２９に記載のシステム。
【発明の詳細な説明】
【技術分野】
【０００１】
本発明の実施形態は、概して通信技術に関し、より具体的には、パーソナライズされた広告コンテンツを、通信ネットワーク上で通信する１つ以上の端末に提供することに関する。
【背景】
【０００２】
消費者商品および消費者サービスが豊富な世の中において、多くの人々は、新商品の発売を知らせる広告に依存している。現代の広告は、販売対象の商品のように多様で、豊富で、かつ娯楽的である。広告板、テレビコマーシャル、ラジオのスポット広告、有名人の起用による宣伝、新聞広告の全ては、商品が人々の関心と一致し、結果的に人がその商品を購入することを期待して、人々の注目を引き付けるようにデザインされている。
【０００３】
しかしながら、あまりにもたくさんの広告があるため、一部の人々は、一般向けのコマーシャルに辟易している。人々は、関心のない商品を宣伝する広告に耐える忍耐を持ち合わせていない。テレビのコマーシャルは音を消されたり早送りされたりされ、雑誌や新聞で広告を含むページはすぐにめくられ、ラジオ局は広告を流すと次の局に切り替えられる。結果として、商品やサービスの広告のあるものは、その商品やサービスに最も関心を寄せる可能性のある人々に届かない。
【０００４】
タギング（タグ付け；Tagging）は、情報の分類を促進するために使用されている概念である。タグはキーワード又は表現であり、（写真、記事、またはビデオクリップ等の）情報の一片に関連付けられるか割り当てられ、これらのアイテムを記述する。例えば、タグをインターネット上で使用してウェブページについて記述すると、特定のトッピックに関するウェブページの探索を試みる人が、そのトピックに関連するウェブページをインターネットで検索できるようになる。例えば、ヤンキースの野球の試合の観戦チケットの購入方法に関するコンテンツを含むウェブページは、「野球」や「チケット」、「ヤンキース」を含むタグを有すことができる。
【０００５】
一般的に、タグは、情報アイテムのユーザや著者によって作成される。例えば典型的には、ウェブページの著者は、そのウェブページについて記述するためのタグを作成することができる。また、タグは、ユーザによるアンケート記入またはプロフィール作成の結果として作成されてもよい。プロフィールは、例えば、人のライフスタイル、趣味、関心、および他の特徴について記述する単語を含んでもよい。例えば、特定のウェブサイトへのアクセスを入手するための登録等、サービスへの加入の一環として、人は、プロフィールを作成する必要がありうる。その人のプロフィールは、３匹の犬を飼っていることや、マウンテンバイクが好きであること、海外旅行を楽しむことを含むかもしれない。
【０００６】
そこで、人々に広告コンテンツを提供するにおいて、彼らの関心に合うように、広告をパーソナライズおよび調整し、便利かつさりげなく彼らに提供する必要性が存在する。
【概要】
【０００７】
そこで、通信ネットワーク上を通信する１つ以上の端末に広告コンテンツを提供するためのシステム、方法、コンピュータプログラム製品、および装置を提供する。ゆえに、端末のユーザは、前記ユーザの関心および状況に一致するように調整される広告コンテンツを受信することができる。
【０００８】
一例示的実施形態において、通信ネットワーク上で広告コンテンツを提供するための装置が提供される。前記装置は、通信ネットワーク上で通信する複数の端末に関連付けられる情報を受信すること、ただし前記端末の少なくとも１つは移動端末を含む、前記受信すること；前記端末に関連付けられる前記情報に少なくとも部分的に基づいて、命令を広告プラットフォームに通信すること；を実行するように構成される処理要素を含む。この広告プラットフォームに通信される命令は、端末のうちの少なくとも１つに対する広告コンテンツの選択および伝送であって、広告プラットフォームによる広告コンテンツの選択および伝送を指示する。
【０００９】
一実施形態において、前記処理要素は、通信中の少なくとも２つの端末に関連付けられる情報を受信するように構成されてもよい。前記処理要素は、これらの端末に関連するユーザの共通の特徴を、受信した情報に少なくとも部分的に基づいて判断し、広告プラットフォームに通信される命令に前記共通の特徴を含めるように構成されてもよい。
【００１０】
いくつかの実施形態において、前記処理要素は、他のソースと通信し、かつ他のソースから情報を受信するように構成されてもよい。前記処理要素は、複数のプロフィールを格納するデータベースと通信し、前記情報の少なくとも一部を、前記プロフィールの少なくとも１つに少なくとも部分的に基づいて前記データベースから受信するように構成されてもよい。また、前記処理要素は、アプリケーションサーバ、インターネットプロトコルマルチメディアサブシステム、マルチメディアメッセージングサービスセンタ、ショートメッセージングサービスセンタ、移動交換局、インテリジェントネットワークサーバを含む外部ソースであって、前記通信ネットワークに接続される他の外部ソースと通信するように構成されてもよい。
【００１１】
また、前記処理要素は、端末のうちの少なくとも１つによって伝送された通信のコンテンツに少なくとも部分的に基づいて、情報を受信するように構成されてもよい。さらに、前記処理要素は、情報を受信し、それに対応する命令を広告プラットフォームにリアルタイムで通信するように構成されてもよい。
【００１２】
別の例示的実施形態によると、広告コンテンツを提供するための方法が提供される。この方法は、通信ネットワーク上で通信する複数の端末に関連付けられる情報を受信することと；前記端末に関連付けられる前記情報に少なくとも部分的に基づいて、広告プラットフォームによる、前記端末のうちの少なくとも１つに対する広告コンテンツの選択および伝送を指示する命令を判断することと；前記命令を前記広告プラットフォームに提供することと；を含む。前記端末の少なくとも１つは移動端末を含んでもよい。いくつかの実施形態において、前記命令を判断することは、通信中の少なくとも２つの端末に関連付けられる情報を比較することと、これらの端末に関連するユーザの共通の特徴を判断することとを含んでもよい。
【００１３】
さらに、前記情報の少なくとも一部は、プロフィール情報を格納するデータベースから受信されてもよい。前記プロフィール情報は、ユーザの氏名、住所、年齢、職業、もしくは民族的背景等の識別情報、ユーザの趣味、スポーツ、政治的所属、音楽の好み、文学の好み、もしくは宗教選好等のユーザの関心に関する情報、またはユーザの家族状態、連絡先、連絡先電話番号、もしくは連絡先関係等の個人情報を含んでもよい。
【００１４】
前記情報の一部は、前記通信ネットワークに接続される少なくとも１つの外部ソースから、付加的にまたは代替的に受信されてもよい。このような外部ソースは、アプリケーションサーバ、インターネットプロトコルマルチメディアサブシステム、マルチメディアメッセージングサービスセンタ、ショートメッセージングサービスセンタ、移動交換局、インテリジェントネットワークサーバを含む。いくつかの実施形態において、前記情報は、前記端末のうちの少なくとも１つによって伝送された通信のコンテンツに少なくとも部分的に基づいてもよい。さらに、前記広告プラットフォームに提供された前記命令は、リアルタイムで通信されてもよい。
【００１５】
別の例示的実施形態によると、広告コンテンツを提供するためのコンピュータプログラム製品が提供される。このコンピュータプログラム製品は、コンピュータ可読プログラムコード部分が格納される少なくとも１つのコンピュータ可読記憶媒体を含む。このコンピュータ可読プログラムコード部分は、第１、第２、および第３の実行可能部分を含む。  
【００１６】
前記第１の実行部分は、通信ネットワーク上で通信する複数の端末に関連付けられる情報を受信することに関する。ただし端末の少なくとも１つは移動端末を含む。前記第１の実行部分は、プロフィール情報を格納するデータベースから、前記情報の少なくとも一部を受信するようにさらに構成されてもよい。いくつかの実施形態において、前記第１の実行可能部分は、通信ネットワークに接続される少なくとも１つの外部ソースから、前記情報の少なくとも一部を受信するようにさらに構成されてもよい。前記外部ソースは、アプリケーションサーバ、インターネットプロトコルマルチメディアサブシステム、マルチメディアメッセージングサービスセンタ、ショートメッセージングサービスセンタ、移動交換局、インテリジェントネットワークサーバを含んでもよい。前記第１の実行部分は、前記端末のうちの少なくとも１つによって伝送された通信のコンテンツに少なくとも部分的に基づいて、少なくとも一部の情報を受信するようにさらに構成されてもよい。
【００１７】
前記第２の実行可能部分は、前記端末に関連付けられる前記情報に少なくとも部分的に基づいて、前記端末のうちの少なくとも１つに対する、広告コンテンツの広告プラットフォームによる選択および伝送を指示する命令を判断することに関する。いくつかの実施形態において、前記第２の実行可能部分は、通信中の少なくとも２つの端末に関連付けられる情報を比較し、これらの端末に関連するユーザの共通の特徴を判断するためにさらに構成されてもよい。
【００１８】
前記第３の実行部分は、前記命令を前記広告プラットフォームに提供することに関する。前記第３の実行部分は、前記命令を前記広告プラットフォームにリアルタイムで通信するように構成されてもよい。
【００１９】
別の例示的実施形態によると、広告コンテンツを提供するための装置が提供される。この装置は、通信ネットワーク上で通信する複数の端末に関連付けられる情報を受信する手段を含む。ただし前記端末の少なくとも１つは移動端末を含む。また、前記装置は、受信した前記情報に少なくとも部分的に基づいて、前記端末のうちの少なくとも１つに対する、広告コンテンツの広告プラットフォームによる選択および伝送を指示する命令を判断する手段、ならびに前記命令を前記広告プラットフォームに提供する手段も含む。
【００２０】
別の例示的実施形態によると、広告コンテンツを提供するためのシステムが提供される。前記システムは、サーバおよび広告プラットフォームを含む。前記サーバは、通信ネットワーク上で通信する複数の端末に関連付けられる情報を受信するように構成される。ただし前記端末の少なくとも１つは移動端末を含む。前記広告プラットフォームは、命令を前記サーバから受信し、前記端末の少なくとも１つに広告コンテンツを伝送するように構成される。前記サーバは、前記端末に関連付けられる前記情報に基づいて前記命令を提供するように構成され、前記広告プラットフォームは、前記命令に基づいて、受信した前記情報を少なくとも部分的に含む前記広告コンテンツをそれぞれの端末に伝送するように構成される。
【００２１】
いくつかの実施形態において、前記サーバは、通信中の少なくとも２つの端末に関連付けられる情報を受信するように構成されてもよい。前記サーバは、受信した情報に少なくとも部分的に基づいて、これらの端末に関連するユーザの共通の特徴を判断し、前記広告プラットフォームに通信される前記命令に前記共通の特徴を含めるようにさらに構成されてもよい。
【００２２】
前記システムは、複数のプロフィールを格納するように構成されるデータベースも含んでもよく、前記サーバは、データベースと通信して、前記情報の少なくとも一部を、前記プロフィールの少なくとも１つに基づいて前記データベースから受信するように構成される。いくつかの実施形態において、前記システムは、アプリケーションサーバ、インターネットプロトコルマルチメディアサブシステム、マルチメディアメッセージングサービスセンタ、ショートメッセージングサービスセンタ、移動交換局、インテリジェントネットワークサーバ等の、前記サーバと通信する外部ソースを含んでもよく、前記サーバは、該サーバが通信する外部ソースのうちの少なくとも１つからの少なくとも一部の情報を受信するように構成される。
【００２３】
いくつかの実施形態において、前記サーバは、少なくとも１つの端末によって伝送された通信のコンテンツに少なくとも部分的に基づいて、情報を受信するように構成されてもよい。さらに、前記広告プラットフォームは、端末の通信中に該端末のユーザに広告コンテンツが提供されるように、前記端末のうちの少なくとも１つに前記広告コンテンツを伝送するように構成されてもよい。前記広告プラットフォームは、広告コンテンツが、通信後に端末のユーザに提供されるように、前記端末のうちの少なくとも１つに広告コンテンツを伝送するように構成されてもよい。いくつかの実施形態において、前記広告プラットフォームは、ユーザと端末との後のインタラクション時に広告コンテンツがその端末のユーザに提供されるように、それぞれの端末に広告コンテンツを伝送するように構成されてもよい。
【図面の簡単な説明】
【００２４】
本発明について概略的に上述したが、次に、添付の図面を参照する。これらの図面は、必ずしも一定の縮尺で描かれていない。
【図１】本発明の例示的実施形態に従う無線通信システムの略ブロック図である。
【図２】本発明の例示的実施形態に従い、広告コンテンツを端末に提供するための例示的方法に従うフローチャートを示す。
【詳細な説明】
【００２５】
次に、本発明の実施形態について、添付の図面を参照しつつ、以下に詳しく説明する。図面において本発明の一部の実施形態が示されるが、全ての実施形態が示されるわけではない。実際に、本発明の実施形態は、多くの異なる形式で具現化されてもよく、本明細書に記載の実施形態に限定するように解釈されるべきではなく、むしろ、これらの実施例は、本明細書が法的要件を満たすべく提供されるものである。本明細書において同一の参照番号は同一要素を表す。
【００２６】
図１は、本発明の例示的実施形態に従う無線通信システムの略ブロック図である。図１は、本発明の実施形態から利益を受け得る一種類のシステムの図である。なお、他の種類のシステムが他の実施形態と共に用いられる場合もある。しかしながら、図示される実施形態に示されるように、このシステムは、移動電話機、携帯情報端末（portable digital assistant; PDA）、モバイルコンピュータ、モバイルテレビ、ゲーム機、ノート型パソコン、カメラ、ビデオレコーダ、GPS機器、様々な種類の音声及びテキスト通信システムを具備し得る移動端末10等の、１つ以上の端末を含む。各移動端末10は、信号を伝送し、かつ基地サイトまたは基地局（base station; BS）14から信号を受信するためのアンテナ12（または多重アンテナ）を備えてもよい。基地局14は、１つ以上のセルラネットワークまたは移動ネットワークの一部であってもよく、その各々は、典型的には、ネットワークの制御を必要とする追加のBSを含む要素を備える。
【００２７】
ネットワークは、例えば、移動ネットワーク16であってもよく、移動端末10が呼を発信および受信する際に、移動端末10を出入りする呼の経路を決定するように構成される移動交換局（mobile switching center; MSC）18を含んでもよい。また、MSC18は、移動端末10が呼に関与する際に、固定中継（landline trunk）等の他の端末に接続を提供し得る。さらに、MSC18は、移動端末10を出入りするメッセージの転送を制御可能でありうる。また、MSC18は、ショートメッセージングサービスセンタ（short messaging service center; SMSC）20またはマルチメディアメッセージングサービスセンタ（multimedia messaging service center; MMSC）22等のメッセージングセンタを出入りする移動端末10のためのメッセージの転送も制御し得る。図１のシステムにおいてMSC18が示されるが、MSC18が、単に例示的なネットワーク機器であり、本発明の実施形態が、MSCを用いるネットワークにおける使用に限定されないことに留意されたい。図１に図示されないが、MSC18は、SMSC20およびMMSC22等の特定のネットワーク要素とも通信してもよい。
【００２８】
ショートメッセージングサービスセンタ（short messaging service center; SMSC）20は、一般的に、移動端末10を出入りするショートテキストメッセージの伝送を助けるように構成され、移動端末10は、このようなテキストメッセージを送信することが可能である。例えば、SMSC20は、一方の携帯電話機からショートテキストメッセージを受信することが可能であり、それを、対象受信者に指定される別の携帯電話機に伝送することが可能である。同様に、マルチメディアメッセージングサービスセンタ（multimedia messaging service center; MMSC）22は、移動端末10間の画像、音声、映像、リッチテキスト等のマルチメディアオブジェクトを送受信するように構成されてもよい。
【００２９】
また、BS14は、サービング汎用パケット無線サービス（General Packet Radio Service GPRS; GPRS）サポートノード（Support Node; SGSN）23にも接続されることができる。当業者に知られているように、SGSN23は、典型的には、パケット交換型サービスに関するMSC18に似た機能を実行することが可能である。MSC18に似たSGSN23は、インターネット34等のデータネットワークに接続されることができる。SGSN23は、データネットワークに直接接続されることができる。しかしながら、より典型的な実施形態において、SGSN23は、GPRSコアネットワーク25等のパケット交換型コアネットワークに接続される。そして、パケット交換型コアネットワークはゲートウェイGPRSサポートノード（Gateway GPRS Support Node; GGSN）29等の別のゲートウェイ機器に接続される。GGSN29はインターネット34に接続される。GGSN29に加え、パケット交換型コアネットワークも、GW33に接続されることができる。またGGSN29は、メッセージングセンタに接続されることができる。この点において、GGSN29およびMSC18に類似のSGSN23は、マルチメディアメッセージ等のメッセージの転送を制御可能であってもよい。また、GGSN29およびSGSN23は、メッセージングセンタを出入りする移動端末10の転送を制御可能でありうる。
【００３０】
さらに、SGSN23をGPRSコアネットワーク25およびGGSN29に接続することによって、コンピューティングシステムやオリジンサーバ（図示せず）等の機器は、インターネット34、SGSN23、およびGGSN29を介して移動端末10に接続されることができる。これに関し、コンピューティングシステムやオリジンサーバ等の機器は、SGSN23やGPRSコアネットワーク25、GGSN29を超えて、移動端末10と通信することができる。移動端末10および他方の機器（例えば、コンピューティングシステム、オリジンサーバ等）をインターネット34に直接的または間接的に接続することによって、移動端末10は、ハイパーテキスト転送プロトコル（Hypertext Transfer Protocol; HTTP）やその同等物に従って、他方の機器と通信し、移動端末10の種々の機能を実行することができる。
【００３１】
また、図１に示す例示的システムは、インターネットプロトコルマルチメディアサブシステム（Internet Protocol multimedia subsystem; IMS）24、セッション開始プロトコル（Session Initiation Protocol; SIP）アプリケーションサーバ26、インテリジェントネットワーク（Intelligent Network; IN）サーバ28を含んでもよい。IMS24は、インターネットにより提供されるサービス等のIPサービスへのアクセスを移動端末10に提供するように構成されうる。これは、とりわけ、ボイスオーバーインターネットプロトコル（Voice over Internet Protocol; VoIP）やプッシュトゥートークオーバセルラ（Push-to-talk over Cellular; POC）、マルチパーティゲーム、ビデオ会議、メッセージング、コンテンツ共有を含んでもよい。SIPアプリケーションサーバ26は、インスタントメッセージング、ビデオ、オンラインゲーム、音声メール、ファックスメール、テキスト音声変換（text to speech）、ファインドミー/フォローミー、およびスピーチ認識アプリケーション、また他のサービスのような、VoIP通信ならびに他のテキストおよびメルチメディアセッション等の通信に対応してもよい。INサーバ28は、移動ネットワーク16上で通信する移動端末10に、無料通話、プリペイド通話、通話スクリーニング等の追加のサービスを提供する。
【００３２】
全ての可能な移動ネットワークに関する全ての要素が、本明細書において図示および説明されるわけではないが、移動端末10が、BS14や他のゲートウェイもしくはアクセス機器を介して多数の異なるネットワークのいずれかのうちの１つ以上に接続されてもよいことを理解されたい。これに関して、これらのネットワークは、多数の第１世代（1G）、第２世代（2G）、2.5G、2.75G、第３世代（3G）、3.9G、第４世代（4G）の移動通信プロトコルおよび/またはその同等物のうちの１つ以上等の任意のプロトコルに従って、通信に対応可能でありうる。例えば、ネットワークのうちの１つ以上は、2G無線通信プロトコルのIS-136（TDMA）、GSM、およびIS-95（CDMA）に従って通信に対応可能でありうる。また、例えば、ネットワークのうちの１つ以上は、2.5Gの無線通信プロトコルのGPRS、強化型データGSM環境（Enhanced Data GSM Environment; EDGE）、またはその同等物に従って、通信に対応可能でありうる。さらなる例として、ネットワークのうちの１つ以上は、広帯域符号分割多元接続（Wideband Code Division Multiple Access; WCDMA）無線アクセス技術を用いるユニバーサル移動電話システム（Universal Mobile Telephone System; UMTS）ネットワーク等の3G無線通信プロトコルに従って、通信に対応可能でありうる。一部の狭帯域（narrow-band AMPS; NAMPS）ならびにTACS、ネットワークも、本発明の実施形態から利益を受けることができ、同様に、デュアルモードまたは高次モードの移動局（例えば、デジタル/アナログまたはTDMA/CDMA/アナログ電話機）も利益を受けることができる。
【００３３】
また、図１の例示的システムは、広告プラットフォーム30およびプロフィールデータベース32も含む。広告プラットフォーム30およびプロフィールデータベース32の一方又は両方は移動ネットワーク16内に存在してもよい。しかしながら、図示される実施形態において、これらのシステムは、ゲートウェイ（gateway; GW）33またはその同等物を介して、プライベートネットワークまたはインターネット34等の広域公衆ネットワーク等の、移動ネットワーク16と通信する他のネットワーク内に存在する。
【００３４】
広告プラットフォーム30は、データベース、サーバ、または広告コンテンツが格納およびアクセスされうる任意の他の機器もしくはシステムであってもよい。例えば、広告プラットフォーム30は、異なる商品およびサービスに関する種々の形式の広告コンテンツを格納し、格納された広告コンテンツから特定の広告コンテンツを選択し、選択した広告コンテンツの１つ以上の端末への配信を制御するように構成されるサーバであってもよい。配信される端末のうちの少なくとも１つは移動端末10である。このような広告コンテンツは、テキストメッセージ広告、着呼または音声メッセージ形式の音声広告、曲形式の音声広告、ビデオクリップ広告、写真広告、商品もしくはサービスのウェブページへのリンクを含んでもよい。
【００３５】
プロフィールデータベース32は、ユーザプロフィールの格納およびユーザプロフィールへのアクセスを提供することができる。ユーザプロフィールは、趣味、関心、好み、端末のユーザの他の特徴に関連するタグを含んでもよい。例えば、ユーザプロフィールは、ユーザの氏名や住所、年齢、職業、民族的背等の、ユーザに関する識別情報を含んでもよい。また上記プロフィールは、趣味、スポーツ、政治的所属、音楽の好み、文学の好み、宗教選好、ユーザにより識別される様々なイベント、商品、過去等の、ユーザの個人的関心に関する情報を含んでもよい。さらに上記プロフィールは、ユーザの家族状態、氏名、連絡先電話番号、連絡先関係の属性（例えば、連絡先が、友達、家族、または同僚であるか否かなど）等の、ユーザに関する個人情報を含んでもよい。例えば、連絡先は、ユーザが通信する個人または他のエンティティであってもよい。
【００３６】
ユーザプロフィールは、無線電話ネットワークへの加入時に、ユーザによって作成されてもよい。本例に関する新しい加入者は、自身の職業、家族状態、趣味、関心、具体的に関心がありうる様々な商品について質問するオンラインアンケートに記入してもよい。新しい加入者は、自身の関心と一致する商品およびサービスに関する情報の受信に関心があるという理由で、アンケートに記入してもよく、また、さらに、サービスまたは他の商品の割引、リベート、クーポン、または他の報酬等の、ネットワークプロバイダによって提案される金銭的インセンティブの代わりにフォーマットを埋めるように促されてもよい。プロフィール情報が、ユーザによって作成されると、タグは、提供されたプロフィール情報に基づいて生成されてもよい。プロフィール、タグ、またはその両方は、プロフィールデータベース32に格納されてもよい。
【００３７】
引き続き図１を参照する。装置40は、端末への広告コンテンツの配信を対象とする一実施形態に従って提供される。装置40は、移動ネットワーク16および移動ネットワーク16と通信する他のネットワークにおける上述の要素を含むがこれらに限定されない種々のネットワーク要素と通信するように構成される処理要素42を備える。この処理要素は、後述の機能を実行するための種々の手段から構成されてもよく、これら手段の各々は、一実施形態において、例えば、処理要素と関連付けられるもしくはそれと通信するメモリ機器に格納されるソフトウェアの制御下において動作するプロセッサ、アプリケーション専用集積回路（application-specific integrated circuit; ASIC）、コンピュータ、またはその同等物等の、任意の適切なコンピューティング機器によって具現化される。
【００３８】
装置40は、図１に示すような移動ネットワーク16内に存在してもよく、または、プライベートネットワークまたはインターネット等の異なるネットワークに存在してもよい。いずれにせよ、処理要素42は、複数の端末から、端末に関連付けられる情報を受信し、端末に関連付けられる情報に少なくとも部分的に基づく命令を、広告プラットフォーム30に通信するように構成される。対象となる端末の少なくとも１つは、通信ネットワーク（移動ネットワーク16等）上で通信する移動端末10でありうる。
【００３９】
例えば、装置40の処理要素42は、移動端末Aが移動端末Bへ発呼するという情報をMSC18から受信してもよい。このような情報は、それぞれの移動端末10の移動電話機番号または総合デジタル通信網（Integrated Services Digital Network; ISDN）番号を含んでもよい。図１の実施形態は、移動端末10はBS14に直接に接続しているように描かれている、移動端末10は異なるMSCからサービスを受けてもよく、実際は異なるネットワークに存在してもよく、実施形態によっては端末のうちの少なくとも１つが固定電話であってもよい。さらに、端末に関連付けられる情報は、通信端末のうちの１つ以上から受信されてもよい。情報の受信時に、処理要素42は、プロフィールデータベース32にクエリを実行して、移動端末AまたはBのユーザに関連付けられる任意のタグを受信してもよい。例えば、処理要素42は、ユーザAが「スキーヤー」であること、「大学生」であること、および「旅行」が好きであるという情報をプロフィールデータベース32から受信することができる。また、処理要素42は、ユーザBが「ガーデニング」を楽しむこと、「母親」であること、および「イタリア」に「旅行」したいという情報をプロフィールデータベース32から受信することができる。
【００４０】
受信した情報に少なくとも部分的に基づいて、処理要素42は、命令を広告プラットフォーム30に通信するように構成される。この命令は、広告プラットフォーム30による適切な広告コンテンツの選択について知らせる。そのコンテンツは、命令をもたらした情報に関連付けられる端末の１つ以上、例えば、移動端末10に、GGSN29を介して伝送される。例えば、上記のシナリオを続けると、処理要素42は、スキーリゾートの春休み割引価格に関する広告コンテンツを移動端末Aに送るべく、命令を広告プラットフォーム30に通信してもよい。また、当該命令は、チューリップの球根の宅配を売り込む広告コンテンツを移動端末Bに送信するように、広告プラットフォーム30に命令するものであってもよい。
【００４１】
当該命令は、広告コンテンツの受信者と、送信される広告のコンテンツ（例えば、春休み割引価格とチューリップの球根）とを含んでもよい。また、当該命令は、「大学生Aにはテキストメッセージ」「母親Bには音声メッセージ」など、コンテンツのフォーマットを特定するものであってもよい。一実施形態において、命令は、「スキー」等の広告コンテンツの一般的なカテゴリを特定してもよく、広告プラットフォーム30は、スキーに関する異なる広告から、送信する特定の広告コンテンツを選択してもよい。
【００４２】
処理要素42は、相互に通信している又は通信することを試みる少なくとも２つの端末に関連付けられる情報を受信し、この情報を使用して、端末のユーザの共通の特徴を判断するように構成されてもよい。例えば、上述の状況において、処理要素42は、ユーザAおよびユーザB間の共通関心が「旅行」であることを判断することができる。次に、処理要素42は、広告プラットフォーム30に通信される命令の一部として「旅行」を含んでもよい。その結果、広告プラットフォーム30は、旅行ウェブサイトや格安航空券を対象とする広告コンテンツを、両ユーザに対して選択してもよい。広告プラットフォーム30は、例えば、イタリアアルプスを訪れる旅行パッケージを売り込む写真広告等の、同一の広告情報を両移動端末に伝送してもよい。
【００４３】
先行する例において移動端末AおよびB等の端末に伝送される広告コンテンツは、ユーザAとBが通話をしている最中にこれらのユーザに提供されてもよい。例えば、各ユーザは、別の着呼を示すトーンを聞いてもよく、そのトーンに応答すると、イタリアのパック旅行について売り込む短い音声メッセージが提供される。別の例として、端末は、通話中に、特別価格および他の情報を含む広告の写真を表示してもよい。ユーザAとBとの通信中にこのような広告コンテンツを受信することによって、ユーザが、恐らくはイタリアンアルプスへ一緒に旅行する計画を話し合うことを促すことができる。さらなる例として、広告コンテンツは、呼び出し中または通話中の着信段階に再生されてもよい。
【００４４】
あるいは、広告コンテンツは、通信の終了後、例えば、AがBにインスタントメッセージを送信した後にコンテンツが表示されるように、端末に伝送されてもよい。この場合、広告コンテンツは、ユーザがインスタントメッセージを他方のユーザに送信するや否や、提供されてもよい（例えば再生・表示されてもよい）。例えば、「送信」ボタンを押してインスタントメッセージを送信する際に、移動端末10は、広告コンテンツの音声メッセージでありうる着呼を表示するための着信音を生成してもよく、またユーザは、広告コンテンツを含む別のインスタントメッセージを受信してもよい。さらなる例として、写真またはビデオクリップ広告が、通信終了時に、移動端末10のスクリーン13上に自動的に表示されてもよい。
【００４５】
通信の伝送直後に広告コンテンツを提供せずに、ユーザの端末との次のインタラクション時に広告コンテンツを提供してもよい。例えば、ユーザAが次に発呼を試みる時に、移動端末10のスクリーン13上に写真広告が表示されてもよい。あるいは、ユーザBが次に自身の音声メールを確認する時に、音声メッセージ広告が受信コンテンツの受信ボックスに現れても良い。また、広告コンテンツの配信タイミングが装置40からの命令に含まれてもよい。
【００４６】
処理要素42は、プロフィールデータベース32から情報を受信することに加えて、または代替的に、端末を識別するタグおよび情報を含み得る情報を、他のソースから受信してもよい。いくつかの実施形態の処理要素42は、それに接続された通信ネットワークや、それと通信している種々のネットワーク要素から、情報を受信してもよい。例えば、処理要素42は、SMSC20、MMSC22、IMS24、SIPアプリケーションサーバ26、INサーバ28、また図１に図示されない他のシステムから情報を受信してもよい。一例として、大学生Aは、自身の移動端末10を使用して、テキストメッセージを友達に送信することができる。テキストメッセージの送信後、処理要素42は、移動端末10からテキストメッセージが発生することならびに移動端末（または端末）10がテキストメッセージを受信することを含む情報を、SMSC20から受信してもよい。この情報を受信すると、処理要素42は、上述のように、各ユーザの関心に関するさらなる情報をプロフィールデータベースから受信してもよい。同様に、さらなる例として、処理要素42は、写真メッセージに関する情報をMMSC22から受信してもよく、または移動端末10を伴うコンテンツ共有イベントに関する情報等をIMSから受信してもよい。次に、処理要素42は、前述のように、対応する命令を広告プラットフォーム30に通信して、適切な広告コンテンツを勧めることができる。
【００４７】
別の実施形態において、処理要素42は、２つ以上の端末の間で伝送された通信のコンテンツに少なくとも部分的に基づく情報を受信するように構成されてもよい。例に戻ると、母親Bは、寝室から運動部屋への変更に関する会話の後に、自身の移動端末10を使用して息子Aに息子の寝室の写真を送信してもよい。写真は、「リフォーム」または「運動」等に関連付けられる特定のタグを有してもよい。本例において、BからAへのタグ付き写真の伝送によって、装置40の処理要素42は、写真に関連付けられるタグならびにAおよびBに関連する識別情報を含む情報を受信することができる。処理要素42は、例えば、Bの移動端末10から直接、またはMMSC22もしくは他のネットワーク要素を介して間接的に、タグの「リフォーム」および「運動」を受信してもよい。受信した情報に部分的に基づいて、処理要素42は、命令を広告プラットフォーム30に通信し、その結果、リフォーム店での割引または新発売の運動ビデオからのクリップ等の適切な広告コンテンツが選択および伝送されてもよい。
【００４８】
いくつかの実施形態において、処理要素42は、情報を受信し、かつ対応する命令を広告プラットフォーム30にリアルタイムで通信するように構成される。このようにして、前述のように、通信の関係者は、広告コンテンツの伝送をトリガした通信の間に、個々のユーザの嗜好または皆の嗜好に特化された広告コンテンツを受信してもよい。さらに、いくつかの実施形態において、伝送をトリガした通信のコンテンツをも考慮する別の広告コンテンツが、通信中または通信直後に受信されるようにすることで、広告コンテンツの意味を強化してもよい。
【００４９】
他の実施形態によれば、通信ネットワーク上において広告コンテンツを提供するための方法が提供される。図２を参照すると、通信ネットワーク上で通信する少なくとも１つの移動端末を含む端末に関連付けられる情報が受信される。次に、端末に関連付けられる情報に少なくとも部分的に基づいて、端末のうちの少なくとも１つに伝送される広告コンテンツを選択するための命令が判断され、その命令は、広告プラットフォームに提供される。図２のブロック100〜104を参照されたい。
【００５０】
情報は、多種多様のソースから異なる方式で受信されてもよい。情報の一部は、プロフィールが格納されるデータベースから受信されてもよい。ブロック106を参照されたい。前述のように、プロフィールは、端末のユーザの習慣や趣味、関心、その他の特徴に関するタグおよび他の情報を含んでもよい。また、前記情報は、ネットワーク上に存在するまたはネットワークと通信する１つ以上の外部ソースから受信されてもよい。ブロック108を参照されたい。このようなソースには、とりわけ、SIPアプリケーションサーバ、IMS、MMSC、SMSC、MSC、INサーバが含まれてもよい。さらに、前述のように、１つ以上の端末によって伝送された通信のコンテンツに少なくとも部分的に基づく情報が受信されてもよい。ブロック110を参照されたい。例えば、通信の中でも特に、テキストメッセージ、写真メッセージ、曲、ビデオクリップ、および双方向型のゲーム等の通信と関連付けられるタグは、受信されて、広告プラットフォームへの命令の判断に含まれてもよい。
【００５１】
いくつかの実施形態において、通信中の２つの端末（または２つ以上の端末）があるとき、一方の端末に関連付けられる情報が、別の端末に関連付けられる情報と比較されてもよい。ブロック112を参照されたい。例えば、通話中の２つの端末など、２つの端末が互いに相手と通信中であるとき場合、２つの端末に関連付けられる情報が比較されてもよい。その比較に基づいて、共通の関心などの共通の特徴を判断し、広告プラットフォームに提供される命令に組み込んでもよい。ブロック114を参照されたい。例えば、通話中の２つの移動端末のユーザの両方は、共通の関心として「フットボール」を有してもよい。この場合、「フットボール」が、広告プラットフォームへの命令に含まれてもよく、ユーザは、スポーツ用品店のウェブページにユーザを導くリンクを移動端末で受信するかもしれない。
【００５２】
広告プラットフォームへの命令の提供は、リアルタイムまたはほぼリアルタイムで発生してもよい。ブロック116を参照されたい。すなわち、情報の最初の受信をトリガする通信を端末が開始して、広告プラットフォームから端末への広告コンテンツの最終的な伝送までの遅延がほとんどない。このように、インタラクションに関与する端末のユーザは、そのトリガと同じ通信が進行する間に、またはその直後に、広告コンテンツを受信してもよい。
【００５３】
複数の移動端末が移動ネットワークを介して通信する実施形態について上述したが、他の実施形態は、例えば、無線ローカルエリアネットワークを含む無線ネットワークおよびBluetoothもしくは他の無線リンクを介して作成されるアドホックネットワークを含む他の型の通信ネットワークを用いることが可能である。さらに、通信に関与する端末のうちの少なくとも１つは、典型的には、上述のように移動端末であるが、他の実施形態は、１つ以上の移動端末が、１つ以上の固定端末等の他の型の端末と通信し得ることを想定する。したがって、通信ネットワークの少なくとも一部分は、公衆交換電話網（public switched telephone network; PSTN）または他の有線ネットワークも含んでもよい。
【００５４】
上述のように、および当業者が理解するように、本発明の実施形態は、システム、方法、またはネットワークエンティティとして構成されてもよい。したがって、本発明の実施形態は、ハードウェアに全体的に依拠する手段や、ソフトウェアに全体的に依拠する手段、またはソフトウェアとハードウェアの任意の組み合わせを含む種々の手段から構成されてもよい。さらに、本発明の実施形態は、記憶媒体に具現化されるコンピュータ可読プログラム命令（例えば、コンピュータソフトウェア）を有するコンピュータ可読記憶媒体上のコンピュータプログラム製品の形式をとってもよい。ハードディスクやCD-ROM、光学式記憶装置、磁気記憶装置を含む任意の適切なコンピュータ可読記憶媒体を利用してもよい。
【００５５】
本発明の例示的実施形態について、方法、装置（つまりシステム）、およびコンピュータプログラム製品に関するブロック図およびフローチャートを参照して上のように説明した。ブロック図およびフローチャートの各ブロックと、ブロック図およびフローチャートのブロックの組み合わせとが、コンピュータプログラム命令を含む種々の手段によってそれぞれ実装可能であることを理解されたい。これらのコンピュータプログラム命令を、汎用コンピュータ、専用コンピュータ、または他のプログラム可能なデータ処理装置にロードして、装置を構成する。すなわち、コンピュータや他のプログラマブルなデータ処理装置上で実行する命令が、フローチャートの１つまたは複数のブロックに特定される機能を実装する手段を形成する。
【００５６】
処理要素40等のコンピュータまたは他のプログラム可能データ処理装置を特定の方式で機能させるように指示することが可能であるこれらのコンピュータプログラム命令は、コンピュータ可読メモリに格納されてもよく、コンピュータ可読メモリに格納される命令が、フローチャートの１つまたは複数のブロックにおいて特定される機能を実装するためのコンピュータ可読命令を含む製品をもたらすことが可能になる。また、コンピュータプログラム命令を、コンピュータまたは他のプログラム可能データ処理装置にロードすることにより、コンピュータまたは他のプログラム可能装置上で実行される一連の動作ステップが、コンピュータ実装プロセスをもたらしてもよく、コンピュータまたは他のプログラム可能装置上で実行する命令が、フローチャートの１つまたは複数のブロックにおいて特定される機能を実行するためのステップを提供するようにする。
【００５７】
したがって、ブロック図およびフローチャート図のブロックは、特定の機能を実行する手段の組み合わせ、特定の機能を実行するためのステップの組み合わせ、および特定の機能を実行するためのプログラム命令手段に対応する。また、ブロック図およびフローチャート図の各ブロック、ならびにブロック図およびフローチャート図のブロックの組み合わせが、特定の機能もしくはステップ、または専用ハードウェアおよびコンピュータ命令の組み合わせを実行する専用ハードウェアベースのコンピュータシステムによって実装可能であることも理解されたい。
【００５８】
本明細書に記載の本発明の多くの修正および実施形態が、前述の説明および関連の図面に提示される教示の利益を有することが、本発明に関する当業者に思い付くだろう。したがって、本発明が、開示される具体的な実施形態に限定されないこと、ならびに修正および他の実施形態が、添付の請求項の範囲内に含まれることが意図されることを理解されたい。本明細書において具体的な用語が用いられるが、これらの用語は、総称的および記述的な意味のみにおいて使用され、限定する目的で使用されない。 
【図１】
2010516070.tif 000003
【図２】
2010516070.tif 000004
【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
通信ネットワーク上で通信する第１の移動端末の通信に関連付けられる第１の情報を受信する手段と；
通信ネットワーク上で通信する第２の移動端末の通信に関連付けられる第２の情報を受信する手段と；
前記第１の情報と前記第２の情報とを比較する手段と；
前記比較に基づいて共通の特徴を判断する手段と；
前記共通の特徴を含む命令を広告プラットフォームに通信する手段と；
を備え、ただし、前記第１及び第２の情報は、前記第１の移動端末と前記第２の移動端末との間の通信中に受信され、前記命令は、前記第１及び第２の移動端末の少なくとも１つに対する、前記広告プラットフォームによる広告コンテンツの選択を指示する命令である、装置。
【請求項２】
複数のプロフィールを格納するように構成されるデータベースと通信する手段と；
前記第１及び第２の情報の少なくとも一部を、前記プロフィールの少なくとも１つに少なくとも部分的に基づいてデータベースから受信する手段と；
を更に備える請求項１に記載の装置。
【請求項３】
アプリケーションサーバ、インターネットプロトコルマルチメディアサブシステム、マルチメディアメッセージングサービスセンタ、ショートメッセージングサービスセンタ、移動交換局、インテリジェントネットワークサーバから成るグループから選択される外部ソースであって、前記通信ネットワークに接続される少なくとも１つの外部ソースと通信する手段を更に備える、請求項１又は２に記載の装置。
【請求項４】
前記移動端末のうちの少なくとも一方から他方へ伝送された通信のコンテンツに少なくとも部分的に基づいて、前記第１及び第２の情報を受信する手段を更に備える、請求項１から３のいずれかに記載の装置。
【請求項５】
前記命令を通信する手段は、前記命令を前記広告プラットフォームにリアルタイムで通信するように構成される、請求項１から４のいずれかに記載の装置。
【請求項６】
通信ネットワーク上で通信する第１の移動端末の通信に関連付けられる第１の情報を受信することと；
通信ネットワーク上で通信する第２の移動端末の通信に関連付けられる第２の情報を受信することと；
前記第１の情報と前記第２の情報とを比較することと；
前記比較に基づいて共通の特徴を判断することと；
前記共通の特徴を含む命令を広告プラットフォームに提供することと；
を含み、ただし前記第１及び第２の情報は、前記第１の移動端末と前記第２の移動端末との間の通信中に受信され、前記命令は、前記端末のうちの少なくとも１つに対する、広告コンテンツの広告プラットフォームによる選択を指示する、方法。
【請求項７】
前記第１及び第２の情報を受信することは、プロフィール情報を格納するデータベースから、前記第１及び第２の情報の少なくとも一部を受信することを含む、請求項６に記載の方法。
【請求項８】
前記プロフィール情報は、ユーザの氏名、住所、年齢、職業、民族的背景から成るグループから選択される識別情報を含む、請求項７に記載の方法。
【請求項９】
前記プロフィール情報は、ユーザの趣味、スポーツ、政治的所属、音楽の好み、文学の好み、宗教選好の１つ以上から成るグループから選択される関心に関する情報を含む、請求項７に記載の方法。
【請求項１０】
前記プロフィール情報は、家族状態、連絡先、連絡先電話番号、連絡先関係から成るグループから選択される個人情報を含む、請求項７に記載の方法。
【請求項１１】
前記第１及び第２の情報を受信することは、アプリケーションサーバ、インターネットプロトコルマルチメディアサブシステム、マルチメディアメッセージングサービスセンタ、ショートメッセージングサービスセンタ、移動交換局、インテリジェントネットワークサーバから成るグループから選択される外部ソースであって、前記通信ネットワークに接続される少なくとも１つの外部ソースから、前記第１及び第２の情報の少なくとも一部を受信することを含む、請求項６から１０のいずれかに記載の方法。
【請求項１２】
前記第１及び第２の情報を受信することは、前記端末のうちの少なくとも１つによって伝送された通信のコンテンツに少なくとも部分的に基づいて、前記第１及び第２の情報を受信することを含む、請求項６から１１のいずれかに記載の方法。
【請求項１３】
前記命令を広告プラットフォームに提供することは、前記命令を前記広告プラットフォームにリアルタイムで通信することを含む、請求項６から１２のいずれかに記載の方法。
【請求項１４】
プロセッサにより実行されることにより、請求項６から１３のいずれかに記載の方法をコンピュータに遂行させうるように構成される、コンピュータプログラム。
【請求項１５】
第１の移動端末の通信に関連付けられる第１の情報および第２の移動端末の通信に関連付けられる第２の情報を受信するように構成されるサーバ・コンピュータ、ただし前記第１及び第２の情報を、前記第１の移動端末と前記第２の移動端末との間の通信中に受信する、前記サーバ・コンピュータと；
命令を前記サーバ・コンピュータから受信し、前記端末の少なくとも１つに広告コンテンツを伝送するように構成される処理要素を備える広告プラットフォームと；
を備えるシステムであって、前記サーバ・コンピュータが提供する前記命令が、前記第１の情報と前記第２の情報との比較に基づいて得られる、前記移動端末のそれぞれの少なくとも１人のユーザに共通の特徴を含み、前記広告プラットフォームが、前記命令に基づいて、受信した前記情報を少なくとも部分的に含む前記広告コンテンツを前記移動端末の各々に伝送するように構成される、システム。
【請求項１６】
複数のプロフィールを格納するように構成されるデータベースをさらに備え、前記サーバ・コンピュータは、前記データベースと通信し、前記第１及び第２の情報の少なくとも一部を、前記プロフィールの少なくとも１つに基づいて、前記データベースから受信するように構成される、請求項１５に記載のシステム。
【請求項１７】
アプリケーションサーバ、インターネットプロトコルマルチメディアサブシステム、マルチメディアメッセージングサービスセンタ、ショートメッセージングサービスセンタ、移動交換局、インテリジェントネットワークサーバから成るグループから選択される外部ソースであって、前記サーバと通信する外部ソースをさらに備え、前記サーバ・コンピュータは、該サーバ・コンピュータが通信した前記外部ソースのうちの少なくとも１つからの少なくとも一部の情報を受信するように構成される、請求項１５又は１６に記載のシステム。
【請求項１８】
前記サーバ・コンピュータは、前記移動端末のうちの少なくとも一方が他方に伝送した通信のコンテンツに少なくとも部分的に基づいて、前記第１及び第２の情報を受信するように構成される、請求項１５から１７のいずれかに記載のシステム。
【請求項１９】
前記広告プラットフォームは、前記広告コンテンツが、前記端末の通信中に該端末のユーザに提供されるように、前記端末のうちの少なくとも１つに前記広告コンテンツを伝送するように構成される、請求項１５から１８のいずれかに記載のシステム。
【請求項２０】
前記広告プラットフォームは、前記広告コンテンツが、通信後に前記端末のユーザに提供されるように、前記端末のうちの少なくとも１つに前記広告コンテンツを伝送するように構成される、請求項１５から１８のいずれかに記載のシステム。
【請求項２１】
前記広告プラットフォームは、前記ユーザと前記端末との後のインタラクション時に、前記広告コンテンツが前記端末のユーザに提供されるように、前記それぞれの端末に前記広告コンテンツを伝送するように構成される、請求項２０に記載のシステム。
【国際調査報告】
2010516070.tif 000005
2010516070.tif 000006
2010516070.tif 000007